(57)【特許請求の範囲】
【請求項１】
遊技機の前面側を覆う透明板を保持して該遊技機の前面側に配される透明板保持体であって、前記透明板の縁部が挿入される保持溝を有する保持部を背面側に備え、該保持部の内側に前記透明板を保持する透明板保持体において、
該透明板保持体を、背面に一対の縦辺と底辺とからなるコの字状の取付部が設けられたプラスチック製の本体と、矩形の前記透明板の３辺のそれぞれに対応し前記保持溝を各々有する３つのプラスチック製の有溝部材とで構成し、
前記取付部の縦辺及び底辺には、長方形状の挿入部とこれに連設されている矩形の係止部とからなる係止穴をそれぞれ設け、
前記有溝部材には、該有溝部材の外面に垂直で突出長さが前記取付部の肉厚に略等しい軸部と該軸部に直交して該軸部の先端に連設された頭部とからなる係止突起を前記係止穴に対応して設けて、
前記係止突起の頭部及び軸部を対応する前記係止穴の挿入部に挿通させた後に該有溝部材を前記保持溝の長さ方向に沿って平行移動させて前記軸部を前記係止部に貫通させ前記係止突起を前記係止穴に係止させることにより、前記有溝部材を前記取付部の縦辺及び底辺にそれぞれ１つずつ取付けてコの字状の前記保持部を形成した
ことを特徴とする透明板保持体。
【請求項２】
請求項１記載の透明板保持体において、
前記縦辺に前記有溝部材を取付ける際の前記有溝部材の平行移動は該有溝部材を前記底辺に向けて移動させる方向で行われ、
前記３つの有溝部材は前記縦辺の一方、前記底辺、前記縦辺の他方の順に前記取付部に取付けられ、前記縦辺の他方に取付けられた前記有溝部材が前記底辺に取付けられた前記有溝部材の一端に接触して該有溝部材の前記係止を解除する方向への移動を規制する
ことを特徴とする透明板保持体。
【発明の詳細な説明】
【０００１】
【発明の属する技術分野】
本発明は、遊技機の技術分野に属する。
【０００２】
【従来の技術】
パチンコ機等の弾球遊技機では遊技盤の前面側をガラス板などの透明板で覆っており、その透明板を保持する透明板保持体が弾球遊技機の前面側に配されている。また、スロットマシンでは図柄表示装置の前面側をガラス板などの透明板で覆っており、その透明板を保持する透明板保持体がスロットマシンの前面側に配されている。さらに、ここに例示した以外の遊技機でも、遊技の実行に際して遊技者が視認する必要のある部分（被視認部）があり、その被視認部をガラス板などの透明板で覆っている。つまり、遊技機の多くは遊技盤や図柄表示装置等、遊技の実行に際して遊技者が視認する必要のある被視認部を備えており、その被視認部の前面側をガラス板などの透明板で覆い、その透明板を保持する透明板保持体が遊技機の前面側に配されている。
【０００３】
【発明が解決しようとする課題】
透明板保持体は、かつては金属製（金属製の枠状体でガラス枠と呼ばれていた）が主流であったが、最近ではプラスチック製とすることが多くなっている。プラスチック製の透明板保持体は、透明板の縁部が挿入される保持溝を有する保持部を背面側に備え、その保持部の内側に透明板を保持するのであるが、保持部は金属製またはプラスチック製で、透明板保持体の本体部とは別に製造されて本体部に取付けられていた。
【０００４】
ところで、保持部は通常はコの字状（上側または横側が開放されている）であり、その内法が透明板の外形に対応する寸法であることから、これを射出成形にて製造する際に使用する成形金型が大型となっていた。
本発明は、プラスチック製の保持部を成形する際の金型の小型化を図ることを目的としている。
【０００５】
【課題を解決するための手段及び発明の効果】
請求項１記載の透明板保持体は、遊技機の前面側を覆う透明板を保持して該遊技機の前面側に配される透明板保持体であって、前記透明板の縁部が挿入される保持溝を有する保持部を背面側に備え、該保持部の内側に前記透明板を保持する透明板保持体において、
該透明板保持体を、背面に一対の縦辺と底辺とからなるコの字状の取付部が設けられたプラスチック製の本体と、矩形の前記透明板の３辺のそれぞれに対応し前記保持溝を各々有する３つのプラスチック製の有溝部材とで構成し、前記取付部の縦辺及び底辺には、長方形状の挿入部とこれに連設されている矩形の係止部とからなる係止穴をそれぞれ設け、前記有溝部材には、該有溝部材の外面に垂直で突出長さが前記取付部の肉厚に略等しい軸部と該軸部に直交して該軸部の先端に連設された頭部とからなる係止突起を前記係止穴に対応して設けて、前記係止突起の頭部及び軸部を対応する前記係止穴の挿入部に挿通させた後に該有溝部材を前記保持溝の長さ方向に沿って平行移動させて前記軸部を前記係止部に貫通させ前記係止突起を前記係止穴に係止させることにより、前記有溝部材を前記取付部の縦辺及び底辺にそれぞれ１つずつ取付けてコの字状の前記保持部を形成したことを特徴とする。
【０００６】
この透明板保持体では、保持溝を有する複数のプラスチック製の有溝部材のそれぞれを取付部に取り付けることで、透明板の外形に対応する保持部が形成され、その内側に透明板を保持できる。
保持部を複数のプラスチック製の有溝部材にて構成するので、各有溝部材を成形するための金型は小型で済む。また、小型化により金型のコストが低減されるから保持部の製造コスト（ひいては透明板保持体の製造コスト）を低減することにもなる。
【０００７】
透明板は矩形であることが多く、矩形の透明板の３辺のそれぞれに対応する３つの有溝部材にて保持部を構成すれば、有溝部材は、それぞれ棒状ないし幅の狭い板状になるから、金型は一層小型化されるし、金型の形状も単純化される。
請求項２記載の透明板保持体は、請求項１記載の透明板保持体において、前記縦辺に前記有溝部材を取付ける際の前記有溝部材の平行移動は該有溝部材を前記底辺に向けて移動させる方向で行われ、前記３つの有溝部材は前記縦辺の一方、前記底辺、前記縦辺の他方の順に前記取付部に取付けられ、前記縦辺の他方に取付けられた前記有溝部材が前記底辺に取付けられた前記有溝部材の一端に接触して該底辺に取り付けられた有溝部材の前記係止を解除する方向への移動を規制することを特徴とする。
【０００８】
【発明の実施の形態】
次に、本発明の実施例を図面を参照して説明して発明の実施の形態の説明とする。
【０００９】
【実施例】
図１に示すように、遊技機としてのパチンコ機１０は、上下及び左右の外殻を形成する矩形の外枠１２を備えており、外枠１２のヒンジ部１４ａ、１４ｂにて図２に示されるプラスチック製の中枠１６を軸支している。中枠１６は、ヒンジ部１４ａ、１４ｂを軸として扉状に開閉できる。
【００１０】
図２に示すように、中枠１６にはアーチ状の遊技盤窓１８が設けられており、遊技盤窓１８の背後に、周知の遊技盤２０を保持している。遊技盤２０は略正方形であり、遊技盤窓１８がアーチ状であるので、遊技盤２０の左右の上隅部２０ａ、２０ｂは、遊技盤窓１８の上方に張り出している張出部２２ａ、２２ｂによって覆い隠されている。
【００１１】
これら張出部２２ａ、２２ｂには、その形状に沿ったプリント配線基板２４ａ、２４ｂが取付けられており、プリント配線基板２４ａ、２４ｂには、それぞれ発光源としての電球２６ａ〜２６ｄが取付けられている。また、中枠１６の上辺に沿ってプリント配線基板２８が取付けられ、そのプリント配線基板２８には複数の電球３０が取付けられている。そして、中枠１６には、プリント配線基板２８とプリント配線基板２４ａとを結ぶ配線の通路となる配線溝３２が設けられている。
【００１２】
遊技盤２０には、それぞれが円弧状の外ガイドレール３４及び内ガイドレール３６が取付けられ、これらに囲まれる略円形の領域が遊技領域３８とされる。周知であるので図示は省略しているが、遊技領域３８には入賞装置（入賞口）、図柄表示装置、障害釘、障害風車等が配されており、最下部にはアウト穴４０が設けられている。
【００１３】
そして、図示しない発射装置によって発射された遊技球が遊技領域３８内にて進路を変化させながら落下し、いずれかは入賞装置（入賞口）に入賞し、その他の遊技球はアウト穴４０に流入する。また入賞すると、図示しない払出装置が作動して入賞に対応する個数の遊技球を賞球として排出する。こうした点は、周知のパチンコ機と変わるところはないので、詳細の図示と説明は省略する。
【００１４】
図１に示すように、遊技盤２０の前面側は透明板保持体に該当するプラスチック製のガラス扉４４に覆われている。
ガラス扉４４にはアーチ形の窓４６が設けられている。この窓４６の上半分の内周は遊技領域３８の周にほぼ整合し、下半分では遊技盤２０の左右下隅が窓４６を通して見えており、ここに証紙類を貼付した場合には、それらを見ることができる。
【００１５】
窓４６の上方には電飾カバー４８が取付けられている。電飾カバー４８は弓状に湾曲したプラスチック部材であり、その一部は着色透光性の中央レンズ部５０、左レンズ部５２ａ及び右レンズ部５２ｂとなっている。
図３に示すように、中央レンズ部５０、左レンズ部５２ａ及び右レンズ部５２ｂの背後には、電球３０及び電球２６ａ〜２６ｄに対応して、透光穴５４、５６ａ〜５６ｄが設けられている。このため、電球３０から出た光は対応する透光穴５４を通過して中央レンズ部５０に至り、これを透過して遊技者側に放射される。同様に、電球２６ａ、２６ｂから出た光は対応する透光穴５６ａ、５６ｂを通過して左レンズ部５２ａに至り、電球２６ｃ、２６ｄから出た光は対応する透光穴５６ｃ、５６ｄを通過して右レンズ部５２ｂに至り、これらを透過して遊技者側に放射される。
【００１６】
ガラス扉４４の背面には取付部に該当するレール取付部５９が設けられ、その内側には保持部に該当するプラスチック製のガラス保持部６０が取付けられている。
レール取付部５９は、軸側縦辺５９ａ、底辺５９ｂ及び錠側縦辺５９ｃからなるコの字状で、底辺５９ｂに対面する上辺部分が開放されている。
【００１７】
ガラス保持部６０は有溝部材に該当する軸側ガラスレール６０ａ、底ガラスレール６０ｂ及び錠側ガラスレール６０ｃから構成されており、軸側ガラスレール６０ａは軸側縦辺５９ａに、底ガラスレール６０ｂは底辺５９ｂに、錠側ガラスレール６０ｃは錠側縦辺５９ｃに、それぞれ取付けられている。
【００１８】
図４及び図５に示すように、軸側ガラスレール６０ａ、底ガラスレール６０ｂ及び錠側ガラスレール６０ｃには、保持溝に該当する２本のガラス保持溝６１が設けられており、図４（ａ）に示すように、ガラス保持溝６１には透明板に該当するガラス板６２の縁部が挿入されている。これにより、ガラス保持部６０は、その内側にガラス板６２を保持するが、ガラス板６２はガラス保持部６０の開放辺から上下に抜き差しできる。また、図３に示されるように、ガラス板６２の一部は電球２６ａ〜２６ｄと透光穴５６ａ〜５６ｄとの間に介在しているが、ガラス板６２が透明であるから、上述した光の経路を遮断することはない。
【００１９】
図４に示すように、軸側縦辺５９ａ、底辺５９ｂ及び錠側縦辺５９ｃには、長方形状の挿入部６３ａとこれに連設されている係止部６３ｂとからなる甲の字状の係止穴６３が（図４に示すのは１箇所のみだが、各辺５９ａ〜５９ｃにそれぞれ３箇所）設けられている。また、軸側ガラスレール６０ａ、底ガラスレール６０ｂ及び錠側ガラスレール６０ｃには、各係止穴６３に対応して係止突起６５が設けられている。係止突起６５は、各レール６０ａ〜６０ｃの外面に垂直な軸部６５ａと軸部６５ａに直交する頭部６５ｂとからなり、軸部６５ａを係止部６３ｂに貫通させ、頭部６５ｂを係止部６３ｂの外側とすることで、係止穴６３に係止されている。これにより、軸側ガラスレール６０ａ、底ガラスレール６０ｂ及び錠側ガラスレール６０ｃは、図３及び図５に示されるように、それぞれ軸側縦辺５９ａ、底辺５９ｂ及び錠側縦辺５９ｃの内側に接触して取付けられている。
【００２０】
軸側ガラスレール６０ａ、底ガラスレール６０ｂ及び錠側ガラスレール６０ｃの取付け、取外しは、次のように行われる。
まず、軸側ガラスレール６０ａの係止突起６５の頭部６５ｂ及び軸部６５ａを、対応する係止穴６３の挿入部６３ａに挿通させ（図４（ｄ）、（ｅ）参照）、軸側ガラスレール６０ａを軸側縦辺５９ａに沿って平行移動させることにより、軸部６５ａを係止部６３ｂに貫通させて、係止突起６５を係止穴６３に係止させる。これにより軸側ガラスレール６０ａが軸側縦辺５９ａに取付けられる。次に、底ガラスレール６０ｂも同様にして底辺５９ｂに取付け、最後に錠側ガラスレール６０ｃを錠側縦辺５９ｃに取付ける。こうして軸側ガラスレール６０ａ、底ガラスレール６０ｂ及び錠側ガラスレール６０ｃが取付けられた状態では、図５に示されるように、錠側ガラスレール６０ｃが底ガラスレール６０ｂの移動を規制している。したがって、取外しに際しては、まず錠側ガラスレール６０ｃを上方向にスライドさせて係止突起６５と係止穴６３との係止を解除してこれを取外し、次に底ガラスレール６０ｂを取外し、最後に軸側ガラスレール６０ａを取外す。
【００２１】
このガラス扉４４は、上下に立設されたヒンジ軸６４ａ、６４ｂ（図３参照）を中枠１６の軸受６６ａ、６６ｂに挿通することで中枠１６に取付けられており、ヒンジ軸６４ａ、６４ｂを軸として扉状に開閉できる。なお、通常の使用状態では図１に示されるように閉じた状態とされており、縁部に設けられた鍵穴６８に図示しない鍵を差し込んで時計回りさせれば、ガラス扉４４を開けることができる。また、この鍵穴６８に差し込んだ鍵を反時計回りに操作すれば、外枠１２と中枠１６との施錠を解除して、中枠１６を開けることができる。
【００２２】
図１に示すように、ガラス扉４４の下方には皿扉７０が配されている。皿扉７０は左辺部に設けられているヒンジ（図示しない）にて中枠１６に取付けられており、ヒンジを軸として開閉できるが、通常は図示のように閉じられていて、その上辺部をガラス扉４４が押さえているので、ガラス扉４４を開けなければ皿扉を開くことはできない。皿扉７０には、賞球の受皿であり発射装置に供給される遊技球の貯留皿でもある上皿７２が設けられ、パチンコ機１０の本体側から排出される賞球を上皿７２に誘導するための上皿樋７４が開口している。
【００２３】
さらに、皿扉７０の下方においては、上皿７２が満杯となったときに賞球を受け容れる下皿７６が外枠１２の前面に固定され、その下皿７６に賞球を誘導するための下皿樋７８が開口している。また、下皿７６の右側には発射装置を操作するための操作ダイヤル８０が取付けられ、左側には灰皿８２が設置されている。
【００２４】
このパチンコ機１０のガラス扉４４は、上述したように、軸側ガラスレール６０ａ、底ガラスレール６０ｂ及び錠側ガラスレール６０ｃを、それぞれ軸側縦辺５９ａ、底辺５９ｂ及び錠側縦辺５９ｃに取付けてガラス保持部６０を構成するので、軸側ガラスレール６０ａ、底ガラスレール６０ｂ及び錠側ガラスレール６０ｃを、別々に成形できる。このため、コの字状のガラス保持部６０を一体成形する場合と比べれば、軸側ガラスレール６０ａ、底ガラスレール６０ｂ及び錠側ガラスレール６０ｃを成形するための金型はきわめて小型で済み、その金型形状も単純になる。また、一つの金型で複数の軸側ガラスレール６０ａ、底ガラスレール６０ｂまたは錠側ガラスレール６０ｃを同時に成形することもできる。よって、その金型のコストも低減され、ガラス保持部６０の製造コスト（ひいてはガラス扉４４の製造コスト）を低減することにもなる。
【００２５】
また、このパチンコ機１０は、中枠１６の一部を張出部２２ａ、２２ｂとして遊技盤窓１８の上方に張り出して遊技盤２０の上隅部２０ａ、２０ｂを覆い隠し、これら張出部２２ａ、２２ｂに取付けたプリント配線基板２４ａ、２４ｂにて電球２６ａ〜２６ｄを保持する一方、遊技盤２０の前面側を覆うガラス扉４４には、電球２６ａ〜２６ｄに対応して、透光穴５６ａ〜５６ｄを設け、透光穴５６ａ〜５６ｄの前面側は電飾カバー４８の左レンズ部５２ａ及び右レンズ部５２ｂで覆っている。電球２６ａ、２６ｂから出た光は透光穴５６ａ、５６ｂを通り、左レンズ部５２ａから遊技者側に放射され、電球２６ｃ、２６ｄから出た光は透光穴５６ｃ、５６ｄを通り、右レンズ部５２ｂから遊技者側に放射されるので、左レンズ部５２ａ及び右レンズ部５２ｂが電飾となる。また、電球２６ａ〜２６ｄを消灯しても、左レンズ部５２ａ及び右レンズ部５２ｂは装飾効果を発揮する。
【００２６】
したがって、遊技盤２０の遊技領域３８より外側となる上隅部２０ａ、２０ｂには電飾や他の装飾部品を設ける必要がなくなり、遊技盤に電飾を施した場合に必要とされる遊技盤の穴あけ加工は不要になり、面換えにおける配線作業量は低減され電飾用の配線が廃棄物を増加させることもない。
【００２７】
しかも、電飾のための電球２６ａ〜２６ｄへの配線はすべて中枠１６側になるので、電源や制御基板（これらは中枠１６に取付けられている）からの配線距離は短縮され配線量は少なくなる。
また、ガラス扉４４にも電球等の発光源を取付ける必要がないから、ガラス扉４４の窓４６の周囲という比較的幅が狭い場所に配線する必要もなくなり、発光源への配線作業も簡単になる。
【００２８】
そして、本体側からガラス扉４４に配線を引き回さないので、本体側からガラス扉４４側につながる配線が、ガラス扉４４の開閉に伴う屈曲の繰り返しによって疲労して断線することもない。
パチンコ機１０全体での配線量も低減されるから、廃棄時における電線類の分別のための作業量が低減されるし、ダイオキシン対策でも優れている。
【００２９】
また、電飾カバー４８全体あるいは中央レンズ部５０、左レンズ部５２ａもしくは右レンズ部５２ｂをさまざまな材質、形態とすることができるから、パチンコ機１０の機種等に応じてこれらを選択することで、さまざまな電飾を施すことができる。
【００３０】
実施例にしたがって本発明の実施の形態を説明したが、本発明はこれらの例に限定されるものではない。
例えば、実施例では軸側ガラスレール６０ａ、底ガラスレール６０ｂ及び錠側ガラスレール６０ｃを互いに接触させて、ガラス保持部６０を一連としているが、軸側ガラスレール６０ａ、底ガラスレール６０ｂ及び錠側ガラスレール６０ｃに相当する有溝部材を接触させないで保持部を不連続としてもよい。また、取付部も不連続とすることができる。
【００３１】
また、パチンコ機以外の弾球遊技機やスロットマシン等の形式が異なる遊技機にも本発明を適用できる。
【図面の簡単な説明】
【図１】実施例のパチンコ機の正面図である。
【図２】実施例のパチンコ機のガラス扉を撤去した状態の一部正面図である。
【図３】実施例のパチンコ機のガラス扉の背面図である。
【図４】実施例のパチンコ機のガラス扉におけるガラスレールの取付構造の説明図であり、図４（ａ）は係止突起と係止穴との係止部分の横断面図、図４（ｂ）は同じく縦断面図、図４（ｃ）は同じく正面図、図４（ｄ）は係止突起を係止穴に係止させる前（係止解除時）の正面図、図４（ｅ）は図４（ｄ）の状態の縦断面図である。
【図５】実施例のパチンコ機のガラス扉におけるガラスレール同士の接触部分の説明図である。
【符号の説明】
１０…パチンコ機（遊技機）、１２…外枠、１６…中枠、２０…遊技盤（被視認部）、３８…遊技領域、４４…ガラス扉（透明板保持体）、４６…窓、５９…レール取付部（取付部）、５９ａ…軸側縦辺（取付部）、５９ｂ…底辺（取付部）、５９ｃ…錠側縦辺（取付部）、６０…ガラス保持部（保持部）、６０ａ…軸側ガラスレール（有溝部材）、６０ｂ…底ガラスレール（有溝部材）、６０ｃ…錠側ガラスレール（有溝部材）、６１…ガラス保持溝（保持溝）、６２…ガラス板（透明板）、６３…係止穴、６３ａ…挿入部、６３ｂ…係止部、６５…係止突起、６５ａ…軸部、６５ｂ…頭部、７０…皿扉、７２…上皿、７６…下皿、８０…操作ダイヤル。
【図１】
0003567113.tif 000002
【図２】
0003567113.tif 000003
【図３】
0003567113.tif 000004
【図４】
0003567113.tif 000005
【図５】
0003567113.tif 000006